(57)【要約】【課題】スラッジを廃棄する際、産業廃棄物として処理する費用を激減させること。【解決手段】サイクロン式の分級装置１は、吸入口４を有する直状管２とロート管３とを有している。切粉Ｋと砥粒Ｔが混入したスラッジＳを吸入口４から吸引すると、切粉Ｋと砥粒Ｔとは直状管２内を旋回する。切粉Ｋは比重が大きいことから下方に落下させてロート管３内を旋回しながら下端の排出管７に向かわせ、さらに排出管７から切粉回収ケースに回収する。また、砥粒Ｔは、吸引装置によって吸引して吸引延設管９から吸引管８を通って砥粒回収ケースに回収する。切粉Ｋはリサイクルして使用し、砥粒Ｔは産業廃棄物処理をする。【選択図】図２
2006326548.tif 000002
【特許請求の範囲】
【請求項１】
ワークを研削した後のスラッジには砥石の摩耗粉による砂分とワークの切粉による鉄分とが混合して回収され、前記スラッジを産業廃棄物として処理するスラッジの廃棄方法であって、
回収された前記スラッジのうち、前記鉄分を切粉除去手段で除去して廃棄することを特徴とするスラッジの廃棄方法。
【請求項２】
前記切粉除去手段が、下方が縮径されたロート状容器内に第１の吸引手段で前記スラッジを吸引するとともに、比重の大きい前記鉄分を旋回しながら下方に落下させて排出し、比重の小さい前記砂分を慣性力で旋回させている間に第２の吸引手段で回収することを特徴とする請求項１記載のスラッジの廃棄方法。
【請求項３】
前記第１の吸引手段の空気圧をインバータで制御することを特徴とする請求項２記載のスラッジの廃棄方法。
【発明の詳細な説明】
【技術分野】
【０００１】
本発明は、ワークを研削機で研削する際に、発生するスラッジの廃棄方法に関する。
【背景技術】
【０００２】
一般に研削機では、鉄製材料のワークが砥石によって研削され所定の形状に加工される。この際、ワークから研削された切粉と砥石から削られた砥粒が一緒になってスラッジとして回収される。砥粒が混じっているスラッジは、産業廃棄物として処理されることとなっていた。
【０００３】
従来、研削の際に発生する鉄系切粉をクーラントから分離する切粉分離装置が特許文献１によって知られている。これによると、図４に示すように、高性能の切粉分離装置２０を得るために、クーラントを貯溜する濾過槽２１に、常時その一部が浸漬する状態で回転するドラム２２が配置されている。ドラム２２には永久磁石２３が備えられていてクーラントに混入されている鉄系切粉をドラム２２の表面に付着するように構成されている。そして濾過槽２１の外に掻取板２４を装着して、掻取板２４で鉄系切粉を掻き取ることができるようにしている。また、永久磁石２３とドラム２２との隙間に永久磁石２３の磁力を減衰させる磁気スペーサ２５を設けてドラム２２の摩耗を防止していた。
【特許文献１】特開２００１−２９８３８号公報（３〜４頁、図２参照）
【発明の開示】
【発明が解決しようとする課題】
【０００４】
しかし、永久磁石で鉄系切粉を吸着すると、研削したスラッジの中には砥石から削られた砂分の砥粒も混入していることから、砥粒も一緒に吸着してしまう。この場合、スラッジに９０％以上の鉄分が混入されていないとリサイクルとして処理することができず、産業廃棄物として処理されなければならなかった。産業廃棄物として処理することは費用がかかり、研削されるワークの量が多いとスラッジも多量となり、また鉄系切粉が多く含まれている分、その費用も莫大な費用となっていた。
【課題を解決するための手段】
【０００５】
本発明は、上述の課題を解決するものであり、産業廃棄物として処理される量を少なくして、莫大な費用を掛けずに廃棄するスラッジの廃棄方法を提供することを目的とする。そのために本発明に係るスラッジの廃棄方法は、
請求項１記載の発明では、ワークを研削した後のスラッジには砥石の摩耗粉による砂分と、ワークの切粉による鉄分とが混合して回収され、前記スラッジを産業廃棄物として処理するスラッジの廃棄方法であって、
回収された前記スラッジのうち、前記鉄分を切粉除去手段で除去して廃棄することを特徴とするものである。
【０００６】
請求項２記載の発明では、前記切粉除去手段が、下方が縮径されたロート状容器内に第１の吸引手段で前記スラッジを吸引するとともに、比重の大きい前記鉄分を旋回しながら下方に落下させて排出し、比重の小さい前記砂分を慣性力で旋回させている間に第２の吸引手段で回収することを特徴としている。
【０００７】
請求項３記載の発明では、前記第１の吸引手段の空気圧をインバータで制御することを特徴としている。
【発明の効果】
【０００８】
請求項１記載の発明によれば、スラッジのうち切粉を分離して除去することによって、残された砥粒を産業廃棄物として処理することから、その量は従来と比べて激減することとなり、産業廃棄物として処理する費用を少なく押えることができる。
【０００９】
請求項２記載の発明によれば、ワークを研削する際に発生したスラッジは、第１の吸引手段によって切粉除去装置に吸引される。吸引されたスラッジは、ロート状容器の中で旋回することになる。スラッジのうちの鉄分の切粉は比重が大きいことから重力によって旋回しながら下方に落下する。また、砂分の砥粒は比重が軽いことから、慣性力でロート状容器の中で旋回したままにある。この状態で第２の吸引手段で砥粒を回収すれば、落下した切粉と分離することができる。落下した切粉はリサイクル処理を行い、切粉を除去された砥粒は産業廃棄物として処理することができる。
【００１０】
また請求項３記載の発明のように砥粒を吸引する際、空圧の制御をインバータで行えば、砥粒の適度な慣性力を設置することができ、切粉との分離精度を高めることができる。
【発明を実施するための最良の形態】
【００１１】
次に、本発明によるスラッジの廃棄方法の一形態を図面に基づいて説明する。
【００１２】
鉄系ワークを研削機で研削する際に、発生するスラッジには、ワークから削り落とされて発生した鉄系の切粉（以下鉄粉という。）と、砥石から削られた砂系の砥粒とが混入している。
【００１３】
実施形態のスラッジの廃棄方法は、スラッジ内に含まれている切粉と砥粒とを分離することにある。切粉は比重が大きくまた、砥粒は切粉に比べて比重が小さい。実施形態の切粉と砥粒の分級は、このことを利用した装置、つまりサイクロン形式のロート状容器でそれぞれ遠心力を利用して行うことができる。例えば、図１〜２に示すように、切粉除去装置としての分級装置１は、上部に配置される直状管２と下部に配置されて下方が縮径されたロート状容器３とを有し、直状管２の側部の一箇所にはスラッジＳを吸入する吸入口４が形成され、ロート状容器３の下部には排出口５が形成されている。吸入口４には吸入管６が接続され、図示しない第１の吸引装置でスラッジＳを吸引可能に構成し、排出口５には排出管７が接続されて図示しない切粉回収ケースに切粉を回収可能に構成している。
【００１４】
一方、直状管２内には吸引延設管９が配置され、図示しない第２の吸引装置に吸引管８を介して接続されている。
【００１５】
そして、第１の吸引装置でスラッジＳを吸入口４からロート状容器３内に吸入すると、スラッジＳに混入されている切粉Ｋと砥粒Ｔとは直状管２の壁部にぶつかって吸直状管２内を旋回する。比重の大きい切粉Ｋは縮径されたロート状容器３内を旋回しながら下方に向かって落下する。そして排出口５から排出管７を通って切粉回収ケースに回収され、比重の小さい砥粒Ｔは、直状管２内で旋回したままの状態にある。この状態で第２の吸引装置を作動させると、旋回中の砥粒Ｔは吸引されて吸引延設管９の一端から吸引管８を通って吸引される。吸引管８の他端に砥粒回収ケースを接続させれば、砥粒Ｔは砥粒回収ケースに回収される。これによって切粉Ｋと砥粒Ｔは分離されてそれぞれ回収ケースに回収されることとなる。
【００１６】
切粉回収ケースに回収された切粉Ｋはリサイクル処理され、砥粒回収ケースに回収された砥粒Ｔは産業廃棄物として処理される。
【００１７】
なお、第１の吸引装置にインバータを装着して空気圧の強さの制御を行なえば、切粉の種類によって適切な旋回を行うことができる。
【００１８】
また、この砥粒と切粉とを分離する分級装置をさらに詳細に説明すれば、例えば、工業調査会出版の「粉体機器・装置の基礎」に示されている分級装置（特開２０００−１８９８９７公報参照）を使用して切粉と砥粒を分級することができる。
【００１９】
この分級装置１０は、図３に示すように、スラッジＳを吸引案内するスラッジ案内筒１２を比重の大きな切粉を排出案内する切粉案内筒１３に配置した本体筒部１１を有して構成されている。スラッジ案内筒１２には上部に吸引筒部１２１を有して一次空気を導入してスラッジＳを吸引可能とし、その下方には傘状のセンタコア１４を配置してスラッジＳを落下案内している。
【００２０】
一方、切粉案内筒１３は、上部に形成される直状管部１３１と下部に形成される先細り状のロート管部１３２とを有して構成されている。直状管部１３１はスラッジ案内筒１２を内蔵するとともに、下端部に二次空気導入口１５を備えている。ロート管部１３２は下端部に切粉排出口１３３を有するとともに、ロート管部１３２には、一端にセンタコア１４の下方に配置されるセパレートコア１６を有し他端がロート管部１３２の外部に突出する砥粒排出管１７を内蔵している。センタコア１４とセパレートコア１６との間は、二次空気が導入される二次空気充填室１８として形成される。
【００２１】
セパレートコア１６は、傘状に形成されるとともにセンタコア１４の下方でセンタコア１４の下端に二次空気を送風案内するとともにロート管部１３２との間に切粉Ｋを通す隙間を設けるように配置されている。砥粒排出管１７は、二次空気充填室１８に連通する開口部１７１を一端に有して筒状に形成され、ロート管部１３２内を挿通するように配置されて二次空気充填室１８内に旋回している砥粒Ｔを外部に排出するように形成されている。
【００２２】
次に、上記のように構成された分級装置の作用について説明する。
【００２３】
切粉Ｋと砥粒Ｔとを含むスラッジＳを、図示しない一次吸引装置で吸引して吸引筒部１２１からスラッジ案内筒１２内に導入する。スラッジ案内筒１２内に導入されたスラッジＳは、スラッジ案内筒１２の壁に衝突した後、スラッジ案内筒１２内部で旋回しながらセンタコア１４の周りから下方に移動する。
【００２４】
一方、二次空気充填室１８には、二次空気導入口１５から導入された空気が送風されている。スラッジＳに含まれている切粉Ｋはその比重が大きいことから旋回しながら二次空気に抗して下方の切粉案内筒１３内に向かって落下する。比重の小さい砥粒Ｔは、二次空気によって二次空気充填室１８内に旋回しながら留まっている。
【００２５】
この状態で、図示しない二次吸引装置を作動させると、二次空気充填室１８内で旋回している砥粒Ｔは吸引され、砥粒排出管１７を介して外部に排出される。外部に図示しない砥粒回収箱を配置して砥粒Ｔを回収すれば、回収された砥粒Ｔは産業廃棄物として廃棄処理される。
【００２６】
そして、スラッジ案内筒１２から切粉案内筒１３に向かって旋回しながら落下した切粉Ｋは切粉排出口１３３から外部に排出され、外部に配置された図示しない切粉回収箱に回収されてリサイクルされる。
【００２７】
上記のように、実施形態のスラッジ廃棄方法は、スラッジＳに含まれている切粉Ｋと砥粒Ｔとを周知の分級装置１（又は１０）で分離させて、砥粒Ｔ分を廃棄処理して切粉Ｋをリサイクルすることから、廃棄処理にかかわる費用を激減することができる。
【００２８】
なお、切粉と砥粒とを分離する分級装置は、上記の形態に限定するものではなく、上記の装置以外の周知の分級装置であってもよい。
【図面の簡単な説明】
【００２９】
【図１】本発明の一形態の分級装置を示す平面断面図である。
【図２】同縦断面図である。
【図３】別の形態の分級装置を示す簡略断面図である。
【図４】従来の切粉分離装置を示す断面図である。
【符号の説明】
【００３０】
１、分級装置
１０、分級装置
１２、スラッジ案内筒
１３、切粉案内筒
１３３、切粉排出口
１４、センタコア
１６、セパレートコア
１７、砥粒排出管
１８、二次空気充填室
Ｓ、スラッジ
Ｋ、切粉
Ｔ、砥粒
【図１】
2006326548.tif 000003
【図２】
2006326548.tif 000004
【図３】
2006326548.tif 000005
【図４】
2006326548.tif 000006